(57)【要約】パッケージは折り線を有するカードボードブランクで形成され、壁パネル（１）、パッケージの底を形成する底フラップ（２）、即ち、折り畳まれかつ共にヒートシールされてパッケージの上部を形成する短い側フラップ（３Ａ）および長い側フラップ（３Ｂ）を有する。長い側フラップの一つは自由端に封止タブ（４）を有し、封止タブ（４）にはヒートシール接着剤が塗布され、かつ反対側の長い側フラップ（３Ｂ）に対して封止されている。封止タブ（４）は再閉鎖を可能にするためにパッケージの上部を覆うことのできるパッケージの幅よりも小さい幅で形成されている。
2004510654.tif 000002
【特許請求の範囲】
【請求項１】
折り線を有し、かつ壁パネル（１，１１）、パッケージの底を形成する下フラップ（２，１２）、およびパッケージの幅上に折れないで延びた二つの長い側フラップ（３Ｂ，１３Ｂ）を形成する上フラップ（３，１３）、および二つの短い側フラップ（３Ａ，１３Ａ）を有するカードボードブランクで形成され、前記上フラップが折り曲げられかつ共にヒートシールされてパッケージの上部を形成するゲーブルトップ型または平行六面体型であってよいパッケージにおいて、
長い側フラップ（３Ｂ，１３Ｂ）の一つは自由端に封止タブ（４，１４）を有し、封止タブ（４，１４）は反対側の長い側フラップ（３）または反対側の壁パネル（１１）を封止するためのヒートシール接着剤を有し、かつ再閉鎖のためにパッケージの上部を覆うことのできるパッケージの幅よりも狭い幅を有することを特徴とする、パッケージ。
【請求項２】
前記封止タブ（４，１４）は自由端にリフトタブ（５，１５）を有することを特徴とする、請求項１のパッケージ。
【発明の詳細な説明】
【０００１】
［発明の属する技術分野］
本発明はパッケージに関し、このパッケージは、折り線を有し、かつ壁パネル、パッケージの底を形成する底フラップ、および上フラップ、即ち、パッケージの幅にわたって折れないで延びた二つの長い側フラップ、および二つの短い側フラップを有するカードボードブランクで形成され、前記上フラップは折り曲げられ、かつ共にヒートシールされてパッケージの上部を形成するゲーブル突破型または平行六面体型のパッケージに関する。
【０００２】
［従来の技術］
乾燥食品、同様のシリアル、ミール、およびオートミルは、大抵の場合、ゲーブルトップ型または平行六面体型のカードボードボックスまたはパッケージにパックされる。異なる理由から、廃棄（ウエス）繊維でカードボードを形成し、かつ例えば、プラスチックの内袋内に食品をパックすることが習慣になっている。プラスチックは内袋を開放するまで食品を良好な状態で保存し、かつ食品が廃棄繊維カードボードに接触するのを防止する。
【０００３】
未使用繊維で被覆されたカードボード材が現在では入手できるが、これは従来材料よりも軽く、それ自体、乾燥材料に対して完全にタイトであり、かつパックされた製品に如何なる味または臭いをも加えない。このように、パッケージがタイトシールされれば、乾燥食品は内袋無しでパッケージ内に直接パックできる。
【０００４】
［発明］
タイトシールパッケージに伴う問題は、使用後の開放、再閉鎖が困難なことである。
【０００５】
この問題は本発明により解決される。本発明において、長い側フラップの一つは、自由端に封止タブを有し、前記封止タブは反対側の長い側フラップまたは反対側の壁パネルを封止するためのヒートシール接着剤を有し、かつ再閉鎖のためにパッケージの上部を覆い隠すことのできるパッケージの幅よりも狭い幅を有する。
【０００６】
この封止タブへの容易アクセスを可能にするために、本発明によれば、前記封止タブは自由端にリフトタブを有する。
【０００７】
本発明による設計は、長い側フラップおよび短い側フラップ間に挿入された封止タブを閉鎖手段として使用することを可能にする。これにより、湿気および有害動物はパッケージの初期開放後にも締め出される。
【０００８】
［好適形態の詳細な説明］
本発明によるパッケージは、代表例として、塗布されたカードボードにより形成され、前提条件として内袋または同様物を伴うことなくパッケージ内への食品の収容を可能にする好ましくは未使用繊維で製造される。カードボード材は異なる層、例えば、ＥＶＯＨのバリア層を含んでよい。塗膜は例えばポリエチレンであってよい。カードボード材は好適には乾燥物に対して完全タイトである。
【０００９】
最初にカードボードブランクが裁断され、折り線が形成され、かつ従来法により側エッジに沿って封止されて、図１に示されたように、両端が開放した半完成パッケージに形成される。明かなように、このパッケージは壁パネル１、底フラップ２、および上フラップ３（フラップ３Ａおよび３Ｂ）を有する。
【００１０】
次に、底フラップ２が従来法により折り曲げられ、かつ例えば、ヒートシールされて、図２の下部に示されたように、タイト底に形成される。
【００１１】
このパッケージは、例えばシリアル、ミールまたはオートミル等の乾燥食品を、充填できる状態である。
【００１２】
その後に、パッケージの上部が封止される。従来法により二つの短い側フラップ３Ａが折り線に沿って折り畳まれ、かつ二つの長い側フラップ３Ｂを相互に接触させ、かつヒートシールしてタイトトップ（上部）に形成する。
【００１３】
長い側フラップの一つ３Ｂ、図１の後ろ側の一つは一体的であるが、好適には折り線により封止タブ４とリフトタブ５に分離される。ホットメルト接着剤が封止タブ４へ塗布され、その後に二つの封止タブ４およびリフトタブ５がパッケージの形成された上部上にわたって折り曲げられ、かつ封止タブ４は反対側の長い側フラップ３Ｂへ熱により封止されて、図２に示されたように、所謂ゲーブルトップ型パッケージが形成される。
【００１４】
パッケージの初期開放のために、封止タブ４はリフトタブ５により持ち上げられてよく、それによりホットメルト接着剤による封止が破れ、かつ長い側フラップ３Ｂがパッケージの内容物の取り出しを可能にするために必要な程度まで引っ張って離されてよい。
【００１５】
本発明の設計の重要な特長は、パッケージが、両側の長い側フラップ３Ｂと折り曲げた短い側フラップ３Ａとの間に封止タブ４とリフトタブ５を押し下げることにより開放する度に再閉鎖できることである。
【００１６】
図３および４は図１および２のゲーブルトップ型パッケージの代わりに平行六面体のパッケージを示す。同様に、このパッケージは壁パネル１１、底フラップ１２および上フラップ１３を有する。図３に示された段階（工程）から、底フラップ１２は従来法で折り畳まれ、かつ例えば、ヒートシールされて、図４の下部に示されたように、タイト底を形成する。
【００１７】
充填後に、このパッケージの上部は封止される。従来法において、二つの短い側フラップ１３Ａは折り線に沿って折り畳まれ、かつ長い側フラップ１３Ｂの上部（ここでは折り線により長い側フラップ１３Ｂの残部から分離している）は相互に接触させ、ヒートシールされてタイトトップを形成する。
【００１８】
後ろ側の長い側フラップ１３Ｂ上に形成された封止タブ１４にはホットメルト接着剤が付与される。上部は下に折り曲げられ、かつ封止タブ１４は前壁パネル１１の上方部にヒートシールされ、それにより図４に示されたように、平行六面体パッケージが形成される。
【００１９】
このパッケージはリフトタブ１５を上昇させることにより開放し、かつその後に開放後に図１および２を参照して説明したように再閉鎖できる。
【図面の簡単な説明】
【図１】
本発明によるパッケージの第一形態の斜視図であり、半完成状態で示されている。
【図２】
本発明によるパッケージの第一形態の斜視図であり、完成状態で示されている。
【図３】
本発明によるパッケージの第二形態の斜視図であり、半完成状態で示されている。
【図４】
本発明によるパッケージの第二形態の斜視図であり、完成状態で示されている。
【国際公開パンフレット】
2004510654.tif 000003
2004510654.tif 000004
2004510654.tif 000005
2004510654.tif 000006
2004510654.tif 000007
2004510654.tif 000008
2004510654.tif 000009
2004510654.tif 000010
2004510654.tif 000011
【国際調査報告】
2004510654.tif 000012
2004510654.tif 000013
2004510654.tif 000014